(57)【要約】  撮像面に対して垂直かつ撮像面の短辺方向に平行で光軸を含む断面を第１断面とし、第１断面と直交して光軸を含む断面を第２断面としたとき、変倍光学系は、第１断面と第２断面とでパワーの異なるアナモルフィックなパワーを有する群を少なくとも３群有し、アナモルフィックなパワーを有する群のうち、少なくとも２つの群が変倍時の位置が固定の固定群であり、少なくとも１つの群が変倍時に移動する移動群であり、条件式：０．６＜ｆｗ１／ｆｗ２＜０．９，０．６＜ｆｔ１／ｆｔ２＜０．９，１．０３＜ｆ１＿ｇ／ｆ２＿ｇ＜１．５０を満足する（ｆｗ１，ｆｗ２：広角端における第１，第２断面上での焦点距離；ｆｔ１，ｆｔ２：望遠端における第１，第２断面上での焦点距離；ｆ１＿ｇ，ｆ２＿ｇ：アナモルフィックなパワーを有するいずれかの群の第１，第２断面上での焦点距離）。
2013065391.tif 000002
【特許請求の範囲】
【請求項１】
少なくとも３つの群から成り、各群間隔を変化させることにより変倍を行い、撮像素子の撮像面に被写体像を結像させるための変倍光学系であって、
撮像面に対して垂直かつ撮像面の短辺方向に平行で光軸を含む断面を第１断面とし、前記第１断面と直交して光軸を含む断面を第２断面としたとき、第１断面と第２断面とでパワーの異なるアナモルフィックなパワーを有する群を少なくとも３群有し、
前記アナモルフィックなパワーを有する群のうち、少なくとも２つの群が変倍時の位置が固定の固定群であり、少なくとも１つの群が変倍時に移動する移動群であり、
以下の条件式（１）〜（３）を満足することを特徴とする変倍光学系；
０．６＜ｆｗ１／ｆｗ２＜０．９  …（１）
０．６＜ｆｔ１／ｆｔ２＜０．９  …（２）
１．０３＜ｆ１＿ｇ／ｆ２＿ｇ＜１．５０  …（３）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
ｆ１＿ｇ：アナモルフィックなパワーを有するいずれかの群の第１断面上での焦点距離、
ｆ２＿ｇ：アナモルフィックなパワーを有するいずれかの群の第２断面上での焦点距離、
である。
【請求項２】
４つ以上の群から成り、最も物体側の群が前記固定群であり、光路を第１断面内で略直角に折り曲げる反射部材を更に有することを特徴とする請求項１記載の変倍光学系。
【請求項３】
最も物体側の群が前記アナモルフィックなパワーを有する群であり、以下の条件式（４）を満足することを特徴とする請求項１又は２記載の変倍光学系；
０．６＜ｆ１＿１Ｇ／ｆ２＿１Ｇ＜０．９５  …（４）
ただし、
ｆ１＿１Ｇ：最も物体側の群の第１断面上での焦点距離、
ｆ２＿１Ｇ：最も物体側の群の第２断面上での焦点距離、
である。
【請求項４】
光学的なパワーを有する群のうち最も像側に配置されている群が、以下の条件式（５）を満足することを特徴とする請求項１〜３のいずれか１項に記載の変倍光学系；
０．１＜ｆ１＿ｌｇ／ｆ２＿ｌｇ＜０．９  …（５）
ただし、
ｆ１＿ｌｇ：最も像側の群の第１断面上での焦点距離、
ｆ２＿ｌｇ：最も像側の群の第２断面上での焦点距離、
である。
【請求項５】
光路を第１断面内で略直角に折り曲げる反射部材を更に有し、最も物体側の群が前記反射部材の物体側にアナモルフィックな光学面を有することを特徴とする請求項１〜４のいずれか１項に記載の変倍光学系。
【請求項６】
光路を第１断面内で略直角に折り曲げる反射部材を更に有し、最も物体側の群が前記反射部材の物体側及び像側にアナモルフィックな光学素子を有することを特徴とする請求項１〜５のいずれか１項に記載の変倍光学系。
【請求項７】
以下の条件式（６）を満足することを特徴とする請求項１〜６のいずれか１項に記載の変倍光学系；
１．０２＜（ｆ１＿１Ｇ×ｆｗ２）／（ｆ２＿１Ｇ×ｆｗ１）＜１．２５  …（６）
ただし、
ｆｗ１：広角端における第１断面上での焦点距離、
ｆｗ２：広角端における第２断面上での焦点距離、
ｆ１＿１Ｇ：最も物体側の群の第１断面上での焦点距離、
ｆ２＿１Ｇ：最も物体側の群の第２断面上での焦点距離、
である。
【請求項８】
最も物体側の群が負のパワーを有し、以下の条件式（７）を満足することを特徴とする請求項１〜７のいずれか１項に記載の変倍光学系；
１．００≦（ｆｗ１×ｆｔ２）／（ｆｗ２×ｆｔ１）＜１．１５  …（７）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
である。
【請求項９】
最も物体側の群が正のパワーを有し、以下の条件式（８）を満足することを特徴とする請求項１〜７のいずれか１項に記載の変倍光学系；
１．００≦（ｆｗ２×ｆｔ１）／（ｆｗ１×ｆｔ２）＜１．１５  …（８）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
である。
【請求項１０】
以下の条件式（９）を満足することを特徴とする請求項１〜９のいずれか１項に記載の変倍光学系；
２．０＜ｆｔ１／ｆｗ１＜５．０  …（９）
ただし、
ｆｗ１：広角端における第１断面上での焦点距離、
ｆｔ１：望遠端における第１断面上での焦点距離、
である。
【請求項１１】
請求項１〜１０のいずれか１項に記載の変倍光学系と、撮像面上に形成された光学像を電気的な信号に変換する撮像素子と、を備え、前記撮像素子の撮像面上に被写体の光学像が形成されるように前記変倍光学系が設けられていることを特徴とする撮像光学装置。
【請求項１２】
請求項１１記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は、変倍光学系に関するものである。更に詳しくは、被写体の映像を撮像素子（例えば、ＣＣＤ(Charge  Coupled  Device)型イメージセンサ，ＣＭＯＳ(Complementary  Metal-Oxide  Semiconductor)型イメージセンサ等の固体撮像素子）で取り込む撮像光学装置と、それを搭載した画像入力機能付きデジタル機器と、撮像素子の受光面上に被写体の光学像を形成する小型の変倍光学系と、に関するものである。
【背景技術】
【０００２】
近年、ＣＣＤ型イメージセンサやＣＭＯＳ型イメージセンサ等の固体撮像素子を用いた撮像装置が普及するに伴い、変倍機能を有する光学系にも一層の小型化が求められている。従来より、変倍光学系を小型化する手段として、光学系内に反射部材を配置し、光路を屈曲させることによって厚さ方向のサイズを小型化する提案がなされている。また、屈曲光学系の中に、光軸に対して直交する複数の異なる方向毎に異なる屈折力を有するアナモルフィックな光学素子を適用し、光学系の厚さ方向に相当する光束の幅を小さくするものが、例えば特許文献１に開示されている。
【先行技術文献】
【特許文献】
【０００３】
【特許文献１】特開２００７−６５５２８号公報
【発明の概要】
【発明が解決しようとする課題】
【０００４】
しかしながら、上記特許文献１には、アナモルフィックな光学素子を光学系内に適用した際に発生する、方向毎のレンズバックの差を補正する方法については記載されていない。このため、上記特許文献１に記載の構成では、方向毎のレンズバックの差によって結像性能の悪化を招くおそれがある。【０００５】
本発明はこのような問題点に鑑みてなされたものであって、その目的は、良好な結像性能と光学系の薄型化とが両立した変倍光学系を提供することにある。
【課題を解決するための手段】
【０００６】
上記目的を達成するために、第１の発明の変倍光学系は、少なくとも３つの群から成り、各群間隔を変化させることにより変倍を行い、撮像素子の撮像面に被写体像を結像させるための変倍光学系であって、撮像面に対して垂直かつ撮像面の短辺方向に平行で光軸を含む断面を第１断面とし、前記第１断面と直交して光軸を含む断面を第２断面としたとき、第１断面と第２断面とでパワーの異なるアナモルフィックなパワーを有する群を少なくとも３群有し、前記アナモルフィックなパワーを有する群のうち、少なくとも２つの群が変倍時の位置が固定の固定群であり、少なくとも１つの群が変倍時に移動する移動群であり、以下の条件式（１）〜（３）を満足することを特徴とする。
０．６＜ｆｗ１／ｆｗ２＜０．９  …（１）
０．６＜ｆｔ１／ｆｔ２＜０．９  …（２）
１．０３＜ｆ１＿ｇ／ｆ２＿ｇ＜１．５０  …（３）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
ｆ１＿ｇ：アナモルフィックなパワーを有するいずれかの群の第１断面上での焦点距離、
ｆ２＿ｇ：アナモルフィックなパワーを有するいずれかの群の第２断面上での焦点距離、
である。【０００７】
第２の発明の変倍光学系は、上記第１の発明において、４つ以上の群から成り、最も物体側の群が前記固定群であり、光路を第１断面内で略直角に折り曲げる反射部材を更に有することを特徴とする。【０００８】
第３の発明の変倍光学系は、上記第１又は第２の発明において、最も物体側の群が前記アナモルフィックなパワーを有する群であり、以下の条件式（４）を満足することを特徴とする。
０．６＜ｆ１＿１Ｇ／ｆ２＿１Ｇ＜０．９５  …（４）
ただし、
ｆ１＿１Ｇ：最も物体側の群の第１断面上での焦点距離、
ｆ２＿１Ｇ：最も物体側の群の第２断面上での焦点距離、
である。【０００９】
第４の発明の変倍光学系は、上記第１〜第３のいずれか１つの発明において、光学的なパワーを有する群のうち最も像側に配置されている群が、以下の条件式（５）を満足することを特徴とする。
０．１＜ｆ１＿ｌｇ／ｆ２＿ｌｇ＜０．９  …（５）
ただし、
ｆ１＿ｌｇ：最も像側の群の第１断面上での焦点距離、
ｆ２＿ｌｇ：最も像側の群の第２断面上での焦点距離、
である。【００１０】
第５の発明の変倍光学系は、上記第１〜第４のいずれか１つの発明において、光路を第１断面内で略直角に折り曲げる反射部材を更に有し、最も物体側の群が前記反射部材の物体側にアナモルフィックな光学面を有することを特徴とする。【００１１】
第６の発明の変倍光学系は、上記第１〜第５のいずれか１つの発明において、光路を第１断面内で略直角に折り曲げる反射部材を更に有し、最も物体側の群が前記反射部材の物体側及び像側にアナモルフィックな光学素子を有することを特徴とする。【００１２】
第７の発明の変倍光学系は、上記第１〜第６のいずれか１つの発明において、以下の条件式（６）を満足することを特徴とする。
１．０２＜（ｆ１＿１Ｇ×ｆｗ２）／（ｆ２＿１Ｇ×ｆｗ１）＜１．２５  …（６）
ただし、
ｆｗ１：広角端における第１断面上での焦点距離、
ｆｗ２：広角端における第２断面上での焦点距離、
ｆ１＿１Ｇ：最も物体側の群の第１断面上での焦点距離、
ｆ２＿１Ｇ：最も物体側の群の第２断面上での焦点距離、
である。【００１３】
第８の発明の変倍光学系は、上記第１〜第７のいずれか１つの発明において、最も物体側の群が負のパワーを有し、以下の条件式（７）を満足することを特徴とする。
１．００≦（ｆｗ１×ｆｔ２）／（ｆｗ２×ｆｔ１）＜１．１５  …（７）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
である。【００１４】
第９の発明の変倍光学系は、上記第１〜第７のいずれか１つの発明において、最も物体側の群が正のパワーを有し、以下の条件式（８）を満足することを特徴とする。
１．００≦（ｆｗ２×ｆｔ１）／（ｆｗ１×ｆｔ２）＜１．１５  …（８）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
である。【００１５】
第１０の発明の変倍光学系は、上記第１〜第９のいずれか１つの発明において、以下の条件式（９）を満足することを特徴とする。
２．０＜ｆｔ１／ｆｗ１＜５．０  …（９）
ただし、
ｆｗ１：広角端における第１断面上での焦点距離、
ｆｔ１：望遠端における第１断面上での焦点距離、
である。【００１６】
第１１の発明の撮像光学装置は、上記第１〜第１０のいずれか１つの発明に係る変倍光学系と、撮像面上に形成された光学像を電気的な信号に変換する撮像素子と、を備え、前記撮像素子の撮像面上に被写体の光学像が形成されるように前記変倍光学系が設けられていることを特徴とする。【００１７】
第１２の発明のデジタル機器は、上記第１１の発明に係る撮像光学装置を備えることにより、被写体の静止画撮影，動画撮影のうちの少なくとも一方の機能が付加されたことを特徴とする。
【発明の効果】
【００１８】
本発明の構成を採用することにより、良好な結像性能と光学系の薄型化とが両立した変倍光学系と、それを備えた撮像光学装置を実現することができる。そして、本発明に係る撮像光学装置を携帯電話，携帯情報端末等のデジタル機器に用いることによって、デジタル機器に対し高性能の画像入力機能をコンパクトに付加することが可能となる。
【図面の簡単な説明】
【００１９】
【図１】第１の実施の形態（実施例１）の光学構成を撮像面の短辺側から示す第１断面図。
【図２】第１の実施の形態（実施例１）の光学構成を撮像面の長辺側から示す第２断面図。
【図３】第２の実施の形態（実施例２）の光学構成を撮像面の短辺側から示す第１断面図。
【図４】第２の実施の形態（実施例２）の光学構成を撮像面の長辺側から示す第２断面図。
【図５】第３の実施の形態（実施例３）の光学構成を撮像面の短辺側から示す第１断面図。
【図６】第３の実施の形態（実施例３）の光学構成を撮像面の長辺側から示す第２断面図。
【図７】第４の実施の形態（実施例４）の光学構成を撮像面の短辺側から示す第１断面図。
【図８】第４の実施の形態（実施例４）の光学構成を撮像面の長辺側から示す第２断面図。
【図９】第５の実施の形態（実施例５）の光学構成を撮像面の短辺側から示す第１断面図。
【図１０】第５の実施の形態（実施例５）の光学構成を撮像面の長辺側から示す第２断面図。
【図１１】実施例１の歪曲図。
【図１２】実施例２の歪曲図。
【図１３】実施例３の歪曲図。
【図１４】実施例４の歪曲図。
【図１５】実施例５の歪曲図。
【図１６】実施例１のスポットダイアグラム。
【図１７】実施例２のスポットダイアグラム。
【図１８】実施例３のスポットダイアグラム。
【図１９】実施例４のスポットダイアグラム。
【図２０】実施例５のスポットダイアグラム。
【図２１】変倍光学系を搭載したデジタル機器の概略構成例を示す模式図。
【発明を実施するための形態】
【００２０】
以下、本発明に係る変倍光学系等を説明する。本発明に係る変倍光学系は、少なくとも３つの群から成り、各群間隔を変化させることにより変倍を行い、撮像素子の撮像面（例えば、固体撮像素子の光電変換部）に被写体像を結像させるための変倍光学系であって、撮像面に対して垂直かつ撮像面の短辺方向に平行で光軸を含む断面を第１断面とし、前記第１断面と直交して光軸を含む断面を第２断面としたとき、第１断面と第２断面とでパワーの異なるアナモルフィックなパワーを有する群を少なくとも３群有し（パワー：焦点距離の逆数で定義される量）、前記アナモルフィックなパワーを有する群のうち、少なくとも２つの群が変倍時の位置が固定の固定群であり、少なくとも１つの群が変倍時に移動する移動群であり、以下の条件式（１）〜（３）を満足することを特徴としている。
０．６＜ｆｗ１／ｆｗ２＜０．９  …（１）
０．６＜ｆｔ１／ｆｔ２＜０．９  …（２）
１．０３＜ｆ１＿ｇ／ｆ２＿ｇ＜１．５０  …（３）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
ｆ１＿ｇ：アナモルフィックなパワーを有するいずれかの群の第１断面上での焦点距離、
ｆ２＿ｇ：アナモルフィックなパワーを有するいずれかの群の第２断面上での焦点距離、
である。
【００２１】
変倍光学系のレンズ群のうち、３つ以上の群にアナモルフィックなパワーを持たせるとともに、そのアナモルフィックなパワーを持つ群の少なくとも１つの群を移動群とすることにより、第１断面（撮像面の短辺方向断面）と第２断面（撮像面の長辺方向断面）での焦点距離の違いに起因して変倍時に発生する、第１断面上と第２断面上でのレンズバックのズレを補正することが可能となる。
【００２２】
条件式（１）と条件式（２）は、広角端と望遠端における第１断面での焦点距離と第２断面での焦点距離との関係を規定するものである。第１断面の焦点距離が短い構成を取ることにより、第１断面内の光学有効領域を減らし、第１断面内でのサイズ低減が可能となる。条件式（１）又は条件式（２）の上限を上回ると、薄型化の効果が小さくなる。条件式（１）又は条件式（２）の下限を下回ると、アナモ比が大きくなり、変倍に伴う撮像面の短辺方向と撮像面の長辺方向のレンズバック差の変化を補正することが困難になる。
【００２３】
条件式（３）は、上記少なくとも３つのアナモルフィックな群のうちの１つの群において、撮像面の短辺方向断面の焦点距離が、撮像面の長辺方向断面の焦点距離よりも長くなることを規定するものである。この条件式（３）を満足するアナモルフィック群を配置することにより、撮像面の短辺方向の焦点距離を、撮像面の長辺方向の焦点距離よりも短くしつつ、撮像面の短辺方向と長辺方向とで光軸上でのレンズバックの差を小さくすることが可能となる。条件式（３）の下限を下回ると、撮像面の短辺方向断面と長辺方向断面とでレンズバックを合わせることができなくなる。条件式（３）の上限を上回ると、特定のズームポジションではレンズバックを合わせることができるものの、撮像面の短辺方向と長辺方向でレンズバックの差が大きくなるズームポジションが発生してしまう。また、条件式（３）の上限を上回ると、第１断面及び第２断面の中心軸上でのレンズバック長さの差を補正することはできるものの、軸外光束の非点収差、コマ収差が増大することになる。なお、最も物体側の群及び最も像側の群を除く群が、条件式（３）を満たすアナモルフィックなパワーを有する群であることが好ましい。
【００２４】
上記特徴的構成によると、良好な結像性能と光学系の薄型化とが両立した変倍光学系及びそれを備えた撮像光学装置を実現することが可能である。そして、その撮像光学装置をデジタルカメラ，携帯電話，携帯情報端末等のデジタル機器に用いれば、デジタル機器に対し高性能の画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【００２５】
以下の条件式（１ａ）を満たすことが望ましい。
０．７＜ｆｗ１／ｆｗ２＜０．９  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００２６】
以下の条件式（２ａ）を満たすことが望ましい。
０．７＜ｆｔ１／ｆｔ２＜０．９  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００２７】
以下の条件式（３ａ）を満たすことが望ましい。
１．０３＜ｆ１＿ｇ／ｆ２＿ｇ＜１．２５  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、上記効果をより一層大きくすることができる。
【００２８】
前述した変倍光学系は、４つ以上の群から成り、最も物体側の群が前記固定群であり、光路を第１断面内で略直角に折り曲げる反射部材を更に有することが望ましい。最も物体側の群を固定群として、その中に光路を第１断面内で折り曲げる反射部材を持たせることにより、最も効果的に光学系の厚さを低減することができる。また、第１断面の焦点距離を短くすることで第１断面の有効領域を小さくしつつ、光路を折り曲げることにより一層の厚さ低減が可能である。
【００２９】
最も物体側の群が前記アナモルフィックなパワーを有する群であり、以下の条件式（４）を満足することが望ましい。
０．６＜ｆ１＿１Ｇ／ｆ２＿１Ｇ＜０．９５  …（４）
ただし、
ｆ１＿１Ｇ：最も物体側の群の第１断面上での焦点距離、
ｆ２＿１Ｇ：最も物体側の群の第２断面上での焦点距離、
である。
【００３０】
最も物体側の群（すなわち第１群）にアナモルフィックなパワーを持たせ、条件式（４）を満たす構成とすることで、第１群以降の撮像面の短辺方向の有効領域幅を縮小できるため、光学系の薄型化に効果的である。条件式（４）の下限を下回ると、第１群のアナモ比が大きくなり、第１断面と第２断面でのレンズバックを合わせるために、その他のアナモ群（例えば最終群）のアナモ比も大きくしなければならなくなるため、ズーム領域全体にわたって第１断面と第２断面でのレンズバックの差を小さくすることが困難となる。例えば、広角端でレンズバックが合っていても望遠端では合わなくなるおそれがある。条件式（４）の上限を上回ると、薄型化の効果を十分発揮することができなくなる。
【００３１】
以下の条件式（４ａ）を満足することが更に望ましい。
０．７＜ｆ１＿１Ｇ／ｆ２＿１Ｇ＜０．９  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。
【００３２】
光学的なパワーを有する群のうち最も像側に配置されている群が、以下の条件式（５）を満足することが望ましい。
０．１＜ｆ１＿ｌｇ／ｆ２＿ｌｇ＜０．９  …（５）
ただし、
ｆ１＿ｌｇ：最も像側の群の第１断面上での焦点距離、
ｆ２＿ｌｇ：最も像側の群の第２断面上での焦点距離、
である。
【００３３】
最も像側の群をアナモルフィックな群とすることにより、光学系内で発生する撮像面の短辺方向と長辺方向のレンズバックの差の補正に効果的な構成を実現することができる。第１群と最も像側の群については、撮像面の短辺方向の焦点距離を撮像面の長辺方向の焦点距離よりも短くし、第１群と像側の群に挟まれた群のいずれかにおいて、撮像面の短辺方向の焦点距離を撮像面の長辺方向の焦点距離よりも長くすることが、光学系全系において短辺方向の焦点距離が長辺方向の焦点距離よりも短く、かつ、ズームポジション全体にわたって短辺方向と長辺方向のレンズバックの差が小さい構成を実現する上で有効である。条件式（５）の上限を上回ると、最も像側の群のアナモ比が小さくなり、薄型化の効果が十分得られない、撮像面の短辺方向と長辺方向のレンズバック差が大きくなる、という課題が発生する。条件式（５）の下限を下回ると、最も像側の群のアナモ比が大きくなり、ズーム領域全体にわたってレンズバック差を補正することが困難になる。
【００３４】
負リードの変倍光学系では条件式（５ａ）を満たすことが望ましく、正リードの変倍光学系では条件式（５ｂ）を満たすことが望ましい。
０．５＜ｆ１＿ｌｇ／ｆ２＿ｌｇ＜０．９  …（５ａ）
０．００５＜ｆ１＿ｌｇ／ｆ２＿ｌｇ＜０．３  …（５ｂ）
この条件式（５ａ），（５ｂ）は、前記条件式（５）が規定している条件範囲のなかでも、前記観点等に基づいた更に好ましい条件範囲を規定している。したがって、好ましくは条件式（５ａ），（５ｂ）を満たすことにより、上記効果をより一層大きくすることができる。
【００３５】
前述した変倍光学系は、光路を第１断面内で略直角に折り曲げる反射部材を更に有し、最も物体側の群が前記反射部材の物体側にアナモルフィックな光学面を有することが望ましい。第１群の反射部材よりも物体側にアナモフィック素子を配置することにより、さらに薄型化に効果的な構成とすることができる。アナモルフィックな光学面としては、レンズで構成してもよく、反射部材をプリズムで構成してそのプリズムの端面に曲率を付けてもよい。
【００３６】
前述した変倍光学系は、光路を第１断面内で略直角に折り曲げる反射部材を更に有し、最も物体側の群が前記反射部材の物体側及び像側にアナモルフィックな光学素子を有することが望ましい。反射部材の前後にアナモフィックな光学素子を配置することにより、撮像面の短辺方向と長辺方向の第１群の主平面位置をずらすことができるため、第１群のアナモ比を確保しつつ、第１群の焦点位置の差を小さくすることができる。したがって、ズームポジション全体にわたってレンズバックの差を小さくする上で有利な構成となる。
【００３７】
以下の条件式（６）を満足することが望ましい。
１．０２＜（ｆ１＿１Ｇ×ｆｗ２）／（ｆ２＿１Ｇ×ｆｗ１）＜１．２５  …（６）
ただし、
ｆｗ１：広角端における第１断面上での焦点距離、
ｆｗ２：広角端における第２断面上での焦点距離、
ｆ１＿１Ｇ：最も物体側の群の第１断面上での焦点距離、
ｆ２＿１Ｇ：最も物体側の群の第２断面上での焦点距離、
である。
【００３８】
条件式（６）は、第１群のアナモ比と光学系全体のアナモ比に関する好ましい条件範囲を規定している。条件式（６）の上限を上回ると、第１群のアナモ比が過剰に大きくなり、ズームポジション全体にわたって撮像面の短辺方向と長辺方向のレンズバックを合わせることが困難になる。条件式（６）の下限を下回ると、第１群のアナモ比が小さくなり、薄さ低減の効果を十分発揮することができなくなる。
【００３９】
以下の条件式（６ａ）を満足することが更に望ましい。
１．０２＜（ｆ１＿１Ｇ×ｆｗ２）／（ｆ２＿１Ｇ×ｆｗ１）＜１．２０  …（６ａ）
この条件式（６ａ）は、前記条件式（６）が規定している条件範囲のなかでも、前記観点等に基づいた更に好ましい条件範囲を規定している。したがって、好ましくは条件式（６ａ）を満たすことにより、上記効果をより一層大きくすることができる。
【００４０】
最も物体側の群が負のパワーを有し、以下の条件式（７）を満足することが望ましい。
１．００≦（ｆｗ１×ｆｔ２）／（ｆｗ２×ｆｔ１）＜１．１５  …（７）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
である。
【００４１】
負リードの構成においては、ズーム時の第２群での変倍比変化が大きいため、レンズバック差を補正するためには第２群のアナモ比を小さくする必要がある。広角側から望遠側へのズーム時には、第１群と第２群との間隔が小さくなることから、第１群と第２群との合成焦点距離のアナモ比が、広角時には望遠時よりも大きくなるため、条件式（７）を満足することにより、全ズーム領域において、撮像面の短辺方向と長辺方向のレンズバックの差がより補正しやすくなる。なお、負リードでは、広角端でのアナモ比＞望遠端でのアナモ比となる。
【００４２】
最も物体側の群が正のパワーを有し、以下の条件式（８）を満足することが望ましい。
１．００≦（ｆｗ２×ｆｔ１）／（ｆｗ１×ｆｔ２）＜１．１５  …（８）
ただし、
ｆｗ１：広角端における第１断面上での焦点距離、
ｆｗ２：広角端における第２断面上での焦点距離、
ｆｔ１：望遠端における第１断面上での焦点距離、
ｆｔ２：望遠端における第２断面上での焦点距離、
である。
【００４３】
正リードの構成においては、ズーム時の第２群での変倍比変化が大きいため、レンズバック差を補正するためには第２群のアナモ比を小さくする必要がある。広角側から望遠側へのズーム時には、第１群と第２群との間隔が大きくなることから、第１群と第２群との合成焦点距離のアナモ比が、望遠時には広角時よりも大きくなるため、条件式（８）を満足することにより、全ズーム領域において、撮像面の短辺方向と長辺方向のレンズバックの差がより補正しやすくなる。なお、正リードでは、広角端でのアナモ比＜望遠端でのアナモ比となる。
【００４４】
以下の条件式（９）を満足することが望ましい。
２．０＜ｆｔ１／ｆｗ１＜５．０  …（９）
ただし、
ｆｗ１：広角端における第１断面上での焦点距離、
ｆｔ１：望遠端における第１断面上での焦点距離、
である。
【００４５】
条件式（９）は、上述した変倍光学系の好ましい変倍比を規定している。条件式（９）の上限を上回ると、ズーム比が大きくなるため、撮像面の短辺方向と長辺方向のレンズバックの差を全ズームポジションにわたって補正することが困難になる。
【００４６】
本発明に係る変倍光学系は、画像入力機能付きデジタル機器（例えば、デジタルカメラ）用の変倍光学系としての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する変倍光学系と、その変倍光学系により形成された光学像を電気的な信号に変換する撮像素子と、を備えることにより構成される。そして、撮像素子の受光面（すなわち撮像面）上に被写体の光学像が形成されるように、前述した特徴的構成を有する変倍光学系が配置されることにより、小型・低コストで高変倍・高性能の撮像光学装置やそれを備えたデジタル機器（例えば、デジタルカメラ，携帯電話）を実現することができる。
【００４７】
画像入力機能付きデジタル機器の例としては、デジタルカメラ，ビデオカメラ，監視カメラ，車載カメラ，テレビ電話用カメラ等のカメラが挙げられ、また、パーソナルコンピュータ，携帯端末（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４８】
図２１に、画像入力機能付きデジタル機器の一例として、デジタル機器ＤＵの概略構成例を模式的断面で示す。図２１に示すデジタル機器ＤＵに搭載されている撮像光学装置ＬＵは、物体（すなわち被写体）側から順に、物体の光学像（像面）ＩＭを変倍可能に形成する変倍光学系ＺＬ（ＡＸ：光軸）と、平行平板ＰＴ（撮像素子ＳＲのカバーガラス；必要に応じて配置される光学的ローパスフィルタ，赤外カットフィルタ等の光学フィルタ等に相当する。）と、変倍光学系ＺＬにより長方形状の受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００４９】
変倍光学系ＺＬは、前述したように、少なくとも３つの群から成り、各群間隔を変化させることにより変倍（すなわちズーミング）を行い、撮像素子ＳＲの撮像面ＳＳ上に光学像ＩＭを形成する構成になっている。撮像素子ＳＲとしては、例えば複数の画素を有するＣＣＤ型イメージセンサ，ＣＭＯＳ型イメージセンサ等の固体撮像素子が用いられる。変倍光学系ＺＬは、撮像素子ＳＲの光電変換部である撮像面ＳＳ上に被写体の光学像ＩＭが形成されるように設けられているので、変倍光学系ＺＬによって形成された光学像ＩＭは、撮像素子ＳＲによって電気的な信号に変換される。
【００５０】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；ズーミングやフォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００５１】
次に、第１〜第５の実施の形態を挙げて、変倍光学系ＺＬの具体的な光学構成を更に詳しく説明する。図１，図３，図５，図７，図９は、第１〜第５の実施の形態を構成する変倍光学系ＺＬにそれぞれ対応する光学断面図であり、広角端（Ｗ）でのレンズ配置，光路等を撮像面ＳＳの短辺側から示している（ＹＺ断面図）。これらの図中の矢印ｍｋ（ｋ＝２，３，４）は、広角端（Ｗ）から望遠端（Ｔ）へのズーミングにおける移動群（第ｉ群Ｇｒｉ）の移動をそれぞれ模式的に示している。また、図２，図４，図６，図８，図１０は、第１〜第５の実施の形態を構成する変倍光学系ＺＬにそれぞれ対応する光学断面図（光路展開図）であり、広角端（Ｗ）でのレンズ配置，光路等を撮像面ＳＳの長辺側から示している（ＸＺ断面図）。なおここでは、直交座標系（Ｘ，Ｙ，Ｚ）において、撮像面ＳＳに対して垂直かつ撮像面ＳＳの短辺方向に平行で光軸ＡＸを含む断面を第１断面ＹＺとしており、第１断面ＹＺと直交して光軸ＡＸを含む断面を第２断面ＸＺとしている。
【００５２】
第１〜第４の実施の形態（図１〜図８）の変倍光学系ＺＬは負正負正の４群から成る負リードのズーム構成になっており、第５の実施の形態（図９，図１０）の変倍光学系ＺＬは正負正正正の５群から成る正リードのズーム構成になっている。いずれの変倍光学系ＺＬも、第１断面ＹＺと第２断面ＸＺとでパワーの異なるアナモルフィックなパワーを有する群を少なくとも３群有している。そして、アナモルフィックなパワーを有する群のうち、少なくとも２つの群は変倍時の位置が固定の固定群であり、少なくとも１つの群は変倍時に移動する移動群である。なお、撮像面ＳＳと隣り合うように変倍光学系ＺＬの像側に配置されている平行平板ＰＴは、光学的ローパスフィルタ，ＩＲカットフィルタ，固体撮像素子のシールガラス等を想定したものである。
【００５３】
各実施の形態では、撮像面ＳＳの短辺方向（Ｙ方向）の有効領域を小さくして薄型化を達成するために、撮像面ＳＳの短辺方向（Ｙ方向）の焦点距離を、撮像面ＳＳの長辺方向（Ｘ方向）の焦点距離よりも短くしている。そして、撮像面ＳＳの短辺方向（Ｙ方向）に短軸をとった楕円形の絞りＳＴを採用することにより、撮像面ＳＳの短辺方向（Ｙ方向）と、撮像面ＳＳの長辺方向（Ｘ方向）とのＦ値を揃えている。楕円絞りＳＴの短軸を撮像面ＳＳの短辺方向（Ｙ方向）に配置できることも、薄型化に有利である。
【００５４】
第１の実施の形態（図１）では、第１群Ｇｒ１，第３群Ｇｒ３及び第４群Ｇｒ４がアナモルフィックなパワーを有する群であり、第２群Ｇｒ２は光軸ＡＸに関して回転対称なパワーを有する群である。第２〜第５の実施の形態（図３〜図１０）では、全ての群がアナモルフィックなパワーを有する群である。第１〜第４の実施の形態（図１〜図８）では、第２群Ｇｒ２と第３群Ｇｒ３が移動群であり、第１群Ｇｒ１と第４群Ｇｒ４が固定群である。また、絞りＳＴは第２群Ｇｒ２内において最も物体側に配置されており、ズーミングにおいて第２群Ｇｒ２と共に移動する。第５の実施の形態（図９，図１０）では、第２群Ｇｒ２と第４群Ｇｒ４が移動群であり、第１群Ｇｒ１と第３群Ｇｒ３と第５群Ｇｒ５が固定群である。また、絞りＳＴは第３群Ｇｒ３内において最も物体側に配置されており、ズーミングにおいて第３群Ｇｒ３と共に位置固定である。
【実施例】
【００５５】
以下、本発明を実施した変倍光学系の構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表す光学構成図（図１〜図１０）は、対応する実施例１〜５のレンズ構成をそれぞれ示している。【００５６】
各実施例のコンストラクションデータでは、面データとして、左側の欄から順に、面Ｓｉ（ｉ：面番号），曲率半径ｒ（ｍｍ），軸上面間隔ｄ（ｍｍ），ｄ線（波長：５８７．５６ｎｍ）に関する屈折率ｎｄ，ｄ線に関するアッベ数ｖｄを示す（最終軸上面間隔ＢＦはバックフォーカス（ｍｍ）であり、カバーガラス（平行平板ＰＴに相当する。）の像側面から像面ＩＭまでの距離である。）。面番号に「＊」が付された面は回転対称な非球面であり、その面形状は面頂点を原点とするローカルな直交座標系（Ｘ，Ｙ，Ｚ）を用いた以下の式（ＡＳ）で定義される。面番号に「＊＊」が付された面はアナモルフィック面（ＡＮＡＭＯ）であり、その面形状は面頂点を原点とするローカルな直交座標系（Ｘ，Ｙ，Ｚ）を用いた以下の式（ＢＳ）で定義される（Ｘ，Ｙ：Ｚ軸に対して垂直な平面内での直交座標であり、光軸ＡＸ方向にＺ軸をとり、光軸ＡＸとの交点に対する撮像面ＳＳの長辺方向の座標をＸ、撮像面ＳＳの短辺方向の座標をＹとする。）。各実施例の非球面データとアナモルフィック面データを示す。ただし、表記の無い項の係数は０であり、すべてのデータに関してＥ−ｎ＝×１０-nである。【００５７】
【数１】
2013065391.tif 000003
…（ＡＳ）
2013065391.tif 000004
…（ＢＳ）【００５８】
ただし、
ｈ：Ｚ軸（光軸ＡＸ）に対して垂直な方向の高さ（ｈ2＝Ｘ2＋Ｙ2）、
Ｚ：高さｈの位置（座標(Ｘ，Ｙ)の位置）での光軸ＡＸ方向（Ｚ軸方向）の変位量(面頂点基準)、
Ｒ：基準曲率半径（曲率半径ｒに相当する。）、
Ｒｘ：面頂点でのＸ軸方向の曲率半径、
Ｒｙ：面頂点でのＹ軸方向の曲率半径、
Ｋ：円錐定数、
Ｋｘ：Ｘ軸方向の円錐定数、
Ｋｙ：Ｙ軸方向の円錐定数、
Ａｉ：ｉ次の非球面係数、
ＡＲ，ＢＲ，ＣＲ，ＤＲ：コーニックの４次，６次，８次，１０次の回転対称成分の係数、
ＡＰ，ＢＰ，ＣＰ，ＤＰ：コーニックの４次，６次，８次，１０次の非回転対称成分の係数、
である。【００５９】
各種データとして、可変面間隔Ｄｉ（ｉ：面番号，ｍｍ）とレンズ全長（ＴＬ，ｍｍ）を各焦点距離状態（Ｗ），（Ｍ），（Ｔ）について示し、撮像面の短辺方向（Ｙ）と長辺方向（Ｘ）における半画角（ω，°），Ｆ値（Ｆｎｏ．），全系の焦点距離（ｍｍ）を各焦点距離状態（Ｗ），（Ｍ），（Ｔ）について示す。また、撮像面の短辺方向（Ｙ）と長辺方向（Ｘ）における各群の焦点距離（ｍｍ）と絞り半径（ｍｍ）を示す。なお、レンズ全長ＴＬはレンズ最前面Ｓ１から像面ＩＭまでの距離（平行平板ＰＴに相当するカバーガラスの空気換算無し）である。【００６０】
表１に各群の構成，並びに全系及び各群の焦点距離（ｍｍ）を各実施例について示し、表２に条件式対応値を各実施例について示す。また表３に、撮像面ＳＳの短辺方向（Ｙ），長辺方向（Ｘ）及び対角方向における像高（Ｙ’，ｍｍ）を各焦点距離状態（Ｗ），（Ｍ），（Ｔ）について示し、第１断面ＹＺと第２断面ＸＺの近軸レンズバック値の差（第１断面ＹＺの近軸像面位置を基準としたときの第２断面ＸＺの近軸像面位置，ｍｍ）を各焦点距離状態（Ｗ），（Ｍ），（Ｔ）について示す。【００６１】
各実施例の光学性能を歪曲図（図１１〜図１５）とスポットダイアグラム（図１６〜図２０）で示す。各図中、（Ａ）は広角端（Ｗ）での光学性能を示しており、（Ｂ）は中間ポジション（Ｍ）での光学性能を示しており、（Ｃ）は望遠端（Ｔ）での光学性能を示している。歪曲図は、ＴＶ歪曲（ｍｍ）を各ズームポジション（Ｗ），（Ｍ），（Ｔ）について計算したものであり、実線が各実施例の歪曲格子であり、点線がアナモ比を考慮した理想像点の格子（歪曲無し）である。各実施例では、広角端（Ｗ）での歪曲を画像処理によって補正することにより、光学系全長の短縮を図っている。スポットダイアグラムは、ＴＶ歪曲格子の各格子点（各スポットのフィールドポジションを半画角（°）で示す。）における結像特性（ｍｍ）を計算したものである。【００６２】
実施例１の変倍光学系ＺＬ（図１，図２）は、８枚のレンズ部材と、１つの光路折り曲げ用の反射プリズムＰＲと、開口絞りＳＴと、から成る負正負正の４群ズームレンズであり、第２群Ｇｒ２と第３群Ｇｒ３が各々物体側に移動することによりズーミングを行う構成になっている。近軸の面形状で各レンズを見た場合、各群は以下のように構成されている。第１群Ｇｒ１は、物体側から順に、像側に凹の負メニスカスレンズと、反射プリズムＰＲと、両凹の負レンズ及び物体側に凸の正メニスカス形状（Ｘ方向）と両凸形状（Ｙ方向）を有する正レンズから成る接合レンズと、から構成されており、面Ｓ１，Ｓ２，Ｓ７がアナモルフィック面である。第２群Ｇｒ２は、物体側から順に、開口絞りＳＴと、両凸の正レンズと、両凹の負レンズ及び両凸の正レンズから成る接合レンズと、から構成されており、面Ｓ９，Ｓ１０，Ｓ１３が回転対称な非球面である。第３群Ｇｒ３は、両凹の負レンズ１枚から構成されており、面Ｓ１４，Ｓ１５がアナモルフィック面である。第４群Ｇｒ４は、両凸の正レンズ１枚から構成されており、面Ｓ１６がアナモルフィック面であり、面Ｓ１７が回転対称な非球面である。【００６３】
実施例２の変倍光学系ＺＬ（図３，図４）は、８枚のレンズ部材と、１つの光路折り曲げ用の反射プリズムＰＲと、開口絞りＳＴと、から成る負正負正の４群ズームレンズであり、第２群Ｇｒ２と第３群Ｇｒ３が各々物体側に移動することによりズーミングを行う構成になっている。近軸の面形状で各レンズを見た場合、各群は以下のように構成されている。第１群Ｇｒ１は、物体側から順に、像側に凹の負メニスカスレンズと、反射プリズムＰＲと、両凹の負レンズ及び物体側に凸の正メニスカス形状（Ｘ方向）と両凸形状（Ｙ方向）を有する正レンズから成る接合レンズと、から構成されており、面Ｓ１，Ｓ２，Ｓ７がアナモルフィック面である。第２群Ｇｒ２は、物体側から順に、開口絞りＳＴと、両凸の正レンズと、両凹の負レンズ及び両凸の正レンズから成る接合レンズと、から構成されており、面Ｓ９，Ｓ１０が回転対称な非球面であり、面Ｓ１３がアナモルフィック面である。第３群Ｇｒ３は、両凹形状（Ｘ方向）と物体側に凹の負メニスカス形状（Ｙ方向）を有する負レンズ１枚から構成されており、面Ｓ１４，Ｓ１５がアナモルフィック面である。第４群Ｇｒ４は、両凸の正レンズ１枚から構成されており、面Ｓ１６がアナモルフィック面であり、面Ｓ１７が回転対称な非球面である。【００６４】
実施例３の変倍光学系ＺＬ（図５，図６）は、８枚のレンズ部材と、１つの光路折り曲げ用の反射プリズムＰＲと、開口絞りＳＴと、から成る負正負正の４群ズームレンズであり、第２群Ｇｒ２と第３群Ｇｒ３が各々物体側に移動することによりズーミングを行う構成になっている。近軸の面形状で各レンズを見た場合、各群は以下のように構成されている。第１群Ｇｒ１は、物体側から順に、像側に凹の負メニスカスレンズと、反射プリズムＰＲと、両凹の負レンズ及び物体側に凸の正メニスカスレンズから成る接合レンズと、から構成されており、面Ｓ１，Ｓ７がアナモルフィック面であり、面Ｓ５が回転対称な非球面である。第２群Ｇｒ２は、物体側から順に、開口絞りＳＴと、両凸の正レンズと、両凹の負レンズ及び両凸の正レンズから成る接合レンズと、から構成されており、面Ｓ９，Ｓ１３が回転対称な非球面であり、面Ｓ１０がアナモルフィック面である。第３群Ｇｒ３は、両凹の負レンズ１枚から構成されており、面Ｓ１４がアナモルフィック面であり、面Ｓ１５が回転対称な非球面である。第４群Ｇｒ４は、両凸の正レンズ１枚から構成されており、面Ｓ１６，Ｓ１７がアナモルフィック面である。【００６５】
実施例４の変倍光学系ＺＬ（図７，図８）は、８枚のレンズ部材と、１つの光路折り曲げ用の反射プリズムＰＲと、開口絞りＳＴと、から成る負正負正の４群ズームレンズであり、第２群Ｇｒ２と第３群Ｇｒ３が各々物体側に移動することによりズーミングを行う構成になっている。近軸の面形状で各レンズを見た場合、各群は以下のように構成されている。第１群Ｇｒ１は、物体側から順に、像側に凹の負メニスカスレンズと、反射プリズムＰＲと、両凹の負レンズ及び物体側に凸の正メニスカス形状（Ｘ方向）と両凸形状（Ｙ方向）を有する正レンズから成る接合レンズと、から構成されており、面Ｓ１，Ｓ２，Ｓ７がアナモルフィック面である。第２群Ｇｒ２は、物体側から順に、開口絞りＳＴと、両凸の正レンズと、両凹の負レンズ及び両凸の正レンズから成る接合レンズと、から構成されており、面Ｓ９，Ｓ１０が回転対称な非球面であり、面Ｓ１３がアナモルフィック面である。第３群Ｇｒ３は、両凹形状（Ｘ方向）と物体側に凹の負メニスカス形状（Ｙ方向）を有する負レンズ１枚から構成されており、面Ｓ１４，Ｓ１５がアナモルフィック面である。第４群Ｇｒ４は、両凸の正レンズ１枚から構成されており、面Ｓ１６がアナモルフィック面であり、面Ｓ１７が回転対称な非球面である。【００６６】
実施例５の変倍光学系ＺＬ（図９，図１０）は、９枚のレンズ部材と、１つの光路折り曲げ用の反射プリズムＰＲと、開口絞りＳＴと、から成る正負正正正の５群ズームレンズであり、第２群Ｇｒ２と第４群Ｇｒ４が各々物体側に移動することによりズーミングを行う構成になっている。近軸の面形状で各レンズを見た場合、各群は以下のように構成されている。第１群Ｇｒ１は、物体側から順に、像側に凹の負メニスカスレンズと、反射プリズムＰＲと、両凸の正レンズと、から構成されており、面Ｓ１，Ｓ５，Ｓ６がアナモルフィック面である。第２群Ｇｒ２は、物体側から順に、両凹の負レンズと、物体側に凸の正メニスカスレンズと、から構成されており、面Ｓ７，Ｓ８が回転対称な非球面である。第３群Ｇｒ３は、物体側から順に、開口絞りＳＴと、両凸の正レンズと、から構成されており、面Ｓ１２，Ｓ１３がアナモルフィック面である。第４群Ｇｒ４は、両凸の正レンズ及び物体側に凹の負メニスカスレンズから成る接合レンズ１枚から構成されており、面Ｓ１４がアナモルフィック面である。第５群Ｇｒ５は、両凹の負レンズと、両凸の正レンズと、から構成されており、面Ｓ１９，Ｓ２０がアナモルフィック面である。【００６７】
2013065391.tif 000005
【００６８】
2013065391.tif 000006
【００６９】
2013065391.tif 000007
【００７０】
2013065391.tif 000008
【００７１】
2013065391.tif 000009
【００７２】
2013065391.tif 000010
【００７３】
2013065391.tif 000011
【００７４】
2013065391.tif 000012
【００７５】
2013065391.tif 000013
【００７６】
2013065391.tif 000014
【００７７】
2013065391.tif 000015
【００７８】
2013065391.tif 000016
【００７９】
2013065391.tif 000017
【００８０】
2013065391.tif 000018
【００８１】
2013065391.tif 000019
【００８２】
2013065391.tif 000020
【００８３】
2013065391.tif 000021
【００８４】
2013065391.tif 000022
【００８５】
2013065391.tif 000023
【００８６】
2013065391.tif 000024
【００８７】
2013065391.tif 000025
【００８８】
2013065391.tif 000026
【００８９】
2013065391.tif 000027
【００９０】
2013065391.tif 000028
【００９１】
2013065391.tif 000029
【００９２】
2013065391.tif 000030
【００９３】
2013065391.tif 000031
【００９４】
2013065391.tif 000032
【００９５】
2013065391.tif 000033
【００９６】
2013065391.tif 000034
【００９７】
2013065391.tif 000035
【００９８】
2013065391.tif 000036
【００９９】
2013065391.tif 000037
【０１００】
2013065391.tif 000038
【０１０１】
2013065391.tif 000039
【０１０２】
2013065391.tif 000040
【０１０３】
2013065391.tif 000041
【０１０４】
2013065391.tif 000042
【０１０５】
2013065391.tif 000043
【０１０６】
2013065391.tif 000044
【０１０７】
2013065391.tif 000045
【０１０８】
2013065391.tif 000046
【０１０９】
2013065391.tif 000047
【０１１０】
2013065391.tif 000048
【０１１１】
2013065391.tif 000049
【０１１２】
2013065391.tif 000050
【０１１３】
2013065391.tif 000051
【０１１４】
2013065391.tif 000052
【０１１５】
2013065391.tif 000053
【０１１６】
2013065391.tif 000054
【０１１７】
2013065391.tif 000055
【０１１８】
2013065391.tif 000056
【０１１９】
2013065391.tif 000057
【０１２０】
2013065391.tif 000058
【０１２１】
2013065391.tif 000059
【０１２２】
2013065391.tif 000060
【０１２３】
2013065391.tif 000061
【０１２４】
2013065391.tif 000062
【０１２５】
2013065391.tif 000063
【０１２６】
【表１】
2013065391.tif 000064
【０１２７】
【表２】
2013065391.tif 000065
【０１２８】
【表３】
2013065391.tif 000066
【符号の説明】
【０１２９】
ＤＵ    デジタル機器
ＬＵ    撮像光学装置
ＺＬ    変倍光学系
Ｇｒ１    第１群
Ｇｒ２    第２群
Ｇｒ３    第３群
Ｇｒ４    第４群
Ｇｒ５    第５群
ＰＲ    反射プリズム（反射部材）
ＳＴ    絞り（開口絞り）
ＳＲ    撮像素子
ＳＳ    撮像面（受光面）
ＩＭ    像面（光学像）
ＡＸ    光軸
１    信号処理部
２    制御部
３    メモリ
４    操作部
５    表示部
【図１】
2013065391.tif 000067
【図２】
2013065391.tif 000068
【図３】
2013065391.tif 000069
【図４】
2013065391.tif 000070
【図５】
2013065391.tif 000071
【図６】
2013065391.tif 000072
【図７】
2013065391.tif 000073
【図８】
2013065391.tif 000074
【図９】
2013065391.tif 000075
【図１０】
2013065391.tif 000076
【図１１】
2013065391.tif 000077
【図１２】
2013065391.tif 000078
【図１３】
2013065391.tif 000079
【図１４】
2013065391.tif 000080
【図１５】
2013065391.tif 000081
【図１６】
2013065391.tif 000082
【図１７】
2013065391.tif 000083
【図１８】
2013065391.tif 000084
【図１９】
2013065391.tif 000085
【図２０】
2013065391.tif 000086
【図２１】
2013065391.tif 000087
【国際調査報告】
2013065391.tif 000088
2013065391.tif 000089
2013065391.tif 000090